【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
電気泳動粒子を含む電気泳動表示パネルに、Ｋ番目の映像を表示する段階（ここで、Ｋは自然数）と、
映像転換のためのインタラプト信号が複数の駆動区間の内、いずれか１つの区間において発生することにより、前記インタラプト信号発生の前、前記電気泳動表示パネルに表示された前記Ｋ番目の映像に対応して充電された前記電気泳動粒子の電荷を補償し、Ｋ＋１番目の映像を表示する段階と、を含む電気泳動表示装置の映像表示方法。
【請求項２】
前記Ｋ番目の映像を表示する段階は、
第１ブラック区間の間、前記電気泳動表示パネルに第１極性電圧を利用してブラック映像を表示する段階と、
第１ホワイト区間の間、前記電気泳動表示パネルに第２極性電圧を利用してホワイト映像を表示する段階と、
第１インバース区間の間、前記電気泳動表示パネルに前記Ｋ番目の映像の反転データに対応する前記第２極性電圧を出力する段階と、
第１表示区間の間、前記電気泳動表示パネルに前記Ｋ番目の映像データに対応する前記第１極性電圧を出力し、前記Ｋ番目の映像を表示する段階と、
第１維持区間の間、前記電気泳動表示パネルに共通電圧を出力し、前記電気泳動表示パネルに表示された前記Ｋ番目の映像を維持する段階と、を含む請求項１記載の電気泳動表示装置の映像表示方法。
【請求項３】
前記第１ブラック区間に前記インタラプト信号が発生する場合、前記Ｋ＋１番目の映像を表示する段階は、
前記第１ブラック区間の間、前記インタラプト信号が発生した後に残った第１ブラック区間の間、前記電気泳動表示パネルに前記第１極性電圧を出力し、前記ブラック映像を表示する段階と、
第２ホワイト区間の間、前記電気泳動表示パネルに前記第２極性電圧を出力し、前記ホワイト映像を表示する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項４】
前記第１ホワイト区間に前記インタラプト信号が発生する場合、前記Ｋ＋１番目の映像を表示する段階は、
前記第１ホワイト区間の間、前記インタラプト信号が発生した後に残った第１ホワイト区間の間、前記電気泳動表示パネルに前記第２極性電圧を出力し、前記ホワイト映像を表示する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項５】
前記第１インバース区間に前記インタラプト信号が発生する場合、前記Ｋ＋１番目の映像を表示する段階は、
前記インタラプト信号発生の後の第２ブラック区間の間、前記電気泳動表示パネルに前記第１極性電圧を出力し、ブラック映像を表示する段階と、
第２ホワイト区間の間、前記電気泳動表示パネルに前記第２極性電圧を出力し、ホワイト映像を表示する段階と、
インバース補償区間の間、前記第１極性電圧を前記電気泳動表示パネルに出力し、前記インタラプト信号発生の前、前記粒子に充電された電荷を補償する段階と、
第２インバース区間の間、前記電気泳動表示パネルに前記Ｋ＋１番目の映像の反転データに対応する前記第２極性電圧を出力する段階と、
第２表示区間の間、前記電気泳動表示パネルに前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項６】
前記インタラプト信号発生の前の前記第１インバース区間と前記インバース補償区間は、同一であることを特徴とする請求項５記載の電気泳動表示装置の映像表示方法。
【請求項７】
前記第１インバース区間に前記インタラプト信号が発生する場合、前記Ｋ＋１番目の映像を表示する段階は、
前記インタラプト信号が発生した後の第２ブラック区間の間、前記電気泳動表示パネルに前記第１極性電圧を出力し、前記ブラック映像を表示する段階と、
インバース補償区間の間、前記第１極性電圧を前記電気泳動表示パネルに出力し、前記インタラプト信号発生の前、前記粒子に充電された電荷を補償する段階と、
第２ホワイト区間の間、前記第２極性電圧を前記電気泳動表示パネルに出力し、前記ホワイト映像を表示する段階と、
第２インバース区間の間、前記電気泳動表示パネルに前記Ｋ＋１番目の映像の反転データに対応する前記第２極性電圧を出力する段階と、
第２表示区間の間、前記電気泳動表示パネルに前記Ｋ＋１番目の映像のデータに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項８】
前記第１表示区間に前記インタラプト信号が発生する場合、前記Ｋ＋１番目の映像を表示する段階は、
前記インタラプト信号発生の後、第２ブラック区間の間、前記電気泳動表示パネルに前記第１極性電圧を出力し、前記ブラック映像を表示する段階と、
第２ホワイト区間の間、前記電気泳動表示パネルに前記第２極性電圧を出力し、ホワイト映像を表示する段階と、
表示補償区間の間、前記第１極性電圧を前記電気泳動表示パネルに出力し、前記インタラプト信号発生の前、前記粒子に充電された電荷を補償する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに、前記共通電圧を出力し、前記電気泳動表示パネルに表示された前記Ｋ＋１番目の映像を維持する段階と、を含む請求項２記載の電気泳動表示装置の映像表示方法。
【請求項９】
前記第１表示区間に前記インタラプト信号が発生する場合、前記Ｋ＋１番目の映像を表示する段階は、
前記インタラプト信号発生の直後、第２ブラック区間の間、前記電気泳動表示パネルに前記第１極性電圧を出力し、ブラック映像を表示する段階と、
表示補償区間の間、前記第１極性電圧を前記電気泳動表示パネルに出力し、前記インタラプト信号発生の前、前記粒子に充電された電荷を補償する段階と、
第２ホワイト区間の間、前記電気泳動表示パネルに前記第２極性電圧を出力し、前記ホワイト映像を表示する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。
【請求項１０】
前記第１維持区間に前記インタラプト信号が発生する場合、前記Ｋ＋１番目の映像を表示する段階は、
前記インタラプト信号発生の後、第２ブラック区間の間、前記電気泳動表示パネルに前記第１極性電圧を出力し、前記ブラック映像を表示する段階と、
第２ホワイト区間の間、前記電気泳動表示パネルに前記第２極性電圧を出力し、前記ホワイト映像を表示する段階と、
第２インバース区間の間、前記電気泳動表示パネルに、前記Ｋ＋１番目の映像の反転データに対応する前記第２極性電圧を出力する段階と、
第２表示区間の間、前記電気泳動表示パネルに、前記Ｋ＋１番目の映像データに対応する前記第１極性電圧を出力し、前記Ｋ＋１番目の映像を表示する段階と、
第２維持区間の間、前記電気泳動表示パネルに前記共通電圧を出力し、前記電気泳動表示パネルに表示された前記Ｋ＋１番目の映像を維持する段階と、を含む請求項２記載の電気泳動表示装置の映像表示方法。